(57)【要約】【課題】  簡単な構成でベルトの高さ位置及び横方向位置を調節する。【解決手段】  チャイルドシート１０では、高さを変位可能にされたヘッドサポート２８の各ベルト穴３２に各幼児ベルト３４が挿通されている。ここで、シートバック１２の各調節用長穴１４に各幼児ベルト３４が挿通されて各調節用長穴１４の傾斜面１６に各幼児ベルト３４が接触されると共に、各傾斜面１６が上方へ向かうに従いシートバック１２左右方向外方へ向かう方向へ傾斜されている。このため、ヘッドサポート２８の高さの変位に伴い、各傾斜面１６への各幼児ベルト３４の接触位置が上下方向及び左右方向において変位される。これにより、各傾斜面１６によって各幼児ベルト３４上端の上下方向位置及び左右方向位置を調節でき、構成を簡単にできる。【選択図】    図１
2007008426.tif 000002
【特許請求の範囲】
【請求項１】
高さを変位可能にされた変位部材と、
前記変位部材に係合され、乗員の肩部に装着されるベルトと、
前記変位部材の乗員側に設けられて前記ベルトが係合されると共に、高さ方向へ向かうに従い横方向へ向かう方向へ傾斜され、前記変位部材の高さの変位に伴い前記ベルトの係合位置が高さ方向及び横方向において変位される傾斜部と、
を備えたチャイルドシート。
【請求項２】
前記傾斜部は、上方へ向かうに従い乗員外方へ向かう方向へ傾斜された、ことを特徴とする請求項１記載のチャイルドシート。
【請求項３】
前記変位部材は、乗員の頭部を支持する、ことを特徴とする請求項１又は請求項２記載のチャイルドシート。
【発明の詳細な説明】
【技術分野】
【０００１】
本発明は、乗員の肩部に装着されるベルトを備えたチャイルドシートに関する。
【背景技術】
【０００２】
チャイルドシートとしては、座板の上下動に連動して連動部材が上下動可能にされており、連動部材に形成された一対の長孔にそれぞれガイド部材が係合されると共に、一対のガイド部材にそれぞれ肩ベルトが係合されるものがある（例えば、特許文献１参照）。
【０００３】
このチャイルドシートでは、一対の長孔が上方へ向かうに従い横方向外方へ向かう方向へ傾斜されており、座板の上下動に連動して連動部材が上下動されて、各長孔への各ガイド部材の係合位置が移動されることで、一対のガイド部材の横方向間隔が変更されて、一対の肩ベルトの横方向間隔が変更される。
【０００４】
しかしながら、このチャイルドシートでは、座板の上下動によって座板からの一対の肩ベルトの高さが調整されると共に、各肩ベルトが係合される各ガイド部材がスライド可能にされた構成である。このため、一対の肩ベルトの座板からの高さ及び横方向間隔を調節する機構が複雑である。
【特許文献１】特開平１１−１９８６９４号公報
【発明の開示】
【発明が解決しようとする課題】
【０００５】
本発明は、上記事実を考慮し、簡単な構成でベルトの高さ方向位置及び横方向位置を調節できるチャイルドシートを得ることが目的である。
【課題を解決するための手段】
【０００６】
請求項１に記載のチャイルドシートは、高さを変位可能にされた変位部材と、前記変位部材に係合され、乗員の肩部に装着されるベルトと、前記変位部材の乗員側に設けられて前記ベルトが係合されると共に、高さ方向へ向かうに従い横方向へ向かう方向へ傾斜され、前記変位部材の高さの変位に伴い前記ベルトの係合位置が高さ方向及び横方向において変位される傾斜部と、を備えている。
【０００７】
請求項２に記載のチャイルドシートは、請求項１に記載のチャイルドシートにおいて、前記傾斜部は、上方へ向かうに従い乗員外方へ向かう方向へ傾斜された、ことを特徴としている。
【０００８】
請求項３に記載のチャイルドシートは、請求項１又は請求項２に記載のチャイルドシートにおいて、前記変位部材は、乗員の頭部を支持する、ことを特徴としている。
【発明の効果】
【０００９】
請求項１に記載のチャイルドシートでは、乗員の肩部に装着されるベルトが変位部材に係合されており、変位部材は高さを変位可能にされている。
【００１０】
ここで、変位部材の乗員側に設けられた傾斜部にベルトが係合されると共に、傾斜部が高さ方向へ向かうに従い横方向へ向かう方向へ傾斜されており、変位部材の高さの変位に伴い、傾斜部へのベルトの係合位置が高さ方向及び横方向において変位される。
【００１１】
このため、ベルトの高さ方向位置及び横方向位置を調節できる。しかも、傾斜部によってベルトの高さ方向位置及び横方向位置を調節できるため、構成を簡単にすることができる。
【００１２】
請求項２に記載のチャイルドシートでは、傾斜部が上方へ向かうに従い乗員外方へ向かう方向へ傾斜されている。このため、変位部材の上側への変位に伴い傾斜部へのベルトの係合位置が上側及び乗員外側へ変位されてベルトが上側及び乗員外側へ変位されると共に、変位部材の下側への変位に伴い傾斜部へのベルトの係合位置が下側及び乗員内側へ変位されてベルトが下側及び乗員内側へ変位される。これにより、乗員の体格の相違による乗員の首部及び肩部の位置の相違に対応することができる。
【００１３】
請求項３に記載のチャイルドシートでは、変位部材が乗員の頭部を支持する。このため、変位部材の高さの変位によって、乗員の体格の相違による乗員の頭部の位置の相違に対応することができる。
【発明を実施するための最良の形態】
【００１４】
図１には、本発明の実施の形態に係るチャイルドシート１０の主要部が斜め右前方から見た分解斜視図にて示されている。なお、図面では、チャイルドシート１０の前方を矢印ＦＲで示し、チャイルドシート１０の右方を矢印ＲＷで示し、チャイルドシート１０の上方を矢印ＵＰで示す。
【００１５】
本実施の形態に係るチャイルドシート１０は、乗員としての幼児が着座するためのものであり、上側の乗員側部材としての断面コ字状のシートバック１２と、下側の断面コ字状のシートクッション（図示省略）と、を有している。シートバック１２の下端はシートクッションの後端に結合されており、シートバック１２は幼児の上半身を支持すると共に、シートクッションは幼児の下半身を支持する。
【００１６】
シートクッションの上面には、バックル（図示省略）が設けられており、バックルは幼児の股間に配置されている。シートクッションの前部には調節ベルト（図示省略）が引き出された状態で設けられており、調節ベルトはシートクッション内を前後に配置されると共に、シートバック１２の後方を上下に配置されている。調節ベルトには調節機構（図示省略）が設けられており、調節機構によって調節ベルトの長さを調節可能にされている。
【００１７】
シートバック１２の上部には、右部及び左部において、調節穴としての略長尺矩形状の調節用長穴１４が貫通形成されており、各調節用長穴１４のシートバック１２左右方向（横方向及び幅方向）外側縁は、傾斜部としての傾斜面１６にされている。各調節用長穴１４（傾斜面１６を含む）は、シートバック１２上方へ向かうに従いシートバック１２左右方向外方へ向かう方向へ傾斜されている。
【００１８】
シートバック１２の上部後面には、断面矩形状の凹部１８が形成されており、凹部１８は後方及び上方へ開放されている。
【００１９】
シートバック１２の上部後面には、ガイド部材としての一対のロックプレート２０が取り付けられており、各ロックプレート２０は、断面Ｌ字形板状にされて、前側の長尺矩形平板状の前壁２０Ａと、後側の長尺矩形平板状の後壁２０Ｂと、を有している。各ロックプレート２０には、矩形平板状の取付プレート２２が一体に設けられており、取付プレート２２はロックプレート２０からシートバック１２左右方向外側へ突出している。各取付プレート２２は、ネジ２４の締結によって、シートバック１２後面の凹部１８近傍へ取り付けられており、これにより、各ロックプレート２０が、前壁２０Ａを凹部１８の側面近傍に配置された状態で、シートバック１２に取り付けられている。各ロックプレート２０の前壁２０Ａには、調節手段を構成する矩形状の嵌合穴２６が複数貫通形成されており、複数の嵌合穴２６は上下方向に並べられている。
【００２０】
シートバック１２の上方には、変位部材としてのヘッドサポート２８が設けられており、ヘッドサポート２８は、上側の断面コ字状のヘッドサポート本体２８Ａと、下側の断面矩形状のヘッドサポート取付部２８Ｂと、を有している。
【００２１】
ヘッドサポート取付部２８Ｂの左右両側部には、調節手段を構成するローラ３０が回転可能に設けられており、各ローラ３０は、ヘッドサポート取付部２８Ｂの側面から左右方向外側へ突出すると共に、ヘッドサポート取付部２８Ｂの左右方向外側へ付勢されている。ヘッドサポート取付部２８Ｂは左右のロックプレート２０の後壁２０Ｂとシートバック１２の凹部１８底面（前面）との間及び左右のロックプレート２０の前壁２０Ａ間に嵌合されると共に、左右のローラ３０は左右のロックプレート２０の嵌合穴２６に嵌合されており、これにより、ヘッドサポート２８が、シートバック１２に取り付けられて、幼児の頭部を支持する。また、左右のローラ３０が嵌合する左右のロックプレート２０の嵌合穴２６が変更されることで、ヘッドサポート２８の高さが調節（変位）される。
【００２２】
ヘッドサポート取付部２８Ｂには、右部及び左部において、係合部としての略長尺矩形状のベルト穴３２が貫通形成されており、各ベルト穴３２は、ヘッドサポート２８左右方向外方へ向かうに従いヘッドサポート２８上方へ向かう方向へ傾斜されている。
【００２３】
各ベルト穴３２には、ベルトとしての幼児ベルト３４（肩ベルト）が挿通されており、各幼児ベルト３４は、シートバック１２の各調節用長穴１４にも挿通されている。各幼児ベルト３４の後側端は、上記調節ベルトに接続されており、調節ベルトの長さが上記調節機構によって調節されることで、各幼児ベルト３４の各調節用長穴１４から前側への引き出し長さが調節される。各幼児ベルト３４の前側端には、タング（図示省略）が固定されており、各タングが上記バックルに装着されることで、各幼児ベルト３４が幼児の肩部から腹部に亘って装着されて幼児を拘束可能にされている。
【００２４】
また、各幼児ベルト３４は、前側部分において、幼児への装着により下側への荷重（テンション）を受けるため、図２に示す如く、各幼児ベルト３４の下側面がベルト穴３２の下側面に接触（係合）されると共に、各幼児ベルト３４の端縁が調節用長穴１４の傾斜面１６に接触されている。さらに、各ベルト穴３２の左右方向に対する傾斜角度θ１（鋭角）は、各幼児ベルト３４が下側へ荷重を受けると各幼児ベルト３４が各ベルト穴３２に沿って下側へずれる角度にされている。しかも、各調節用長穴１４の傾斜面１６の上下方向に対する傾斜角度θ２（鋭角）は、幼児の成長に応じた体格（体型）の変化による幼児の肩部の上下方向位置及び左右方向位置の変化に合わせた角度にされている。
【００２５】
次に、本実施の形態の作用を説明する。
【００２６】
以上の構成のチャイルドシート１０では、各幼児ベルト３４がヘッドサポート２８の各ベルト穴３２に挿通されて、各幼児ベルト３４の上端がヘッドサポート２８に係合されており、ヘッドサポート２８は、左右のローラ３０が嵌合する左右のロックプレート２０の嵌合穴２６が変更されることで、高さを変位可能にされている。
【００２７】
ここで、シートバック１２の各調節用長穴１４に各幼児ベルト３４が挿通されて、各調節用長穴１４の傾斜面１６に各幼児ベルト３４の上端が接触されると共に、各傾斜面１６がシートバック１２上方へ向かうに従いシートバック１２左右方向外方（幼児左右方向外方）へ向かう方向へ傾斜されており、ヘッドサポート２８の高さの変位に伴い、各傾斜面１６への各幼児ベルト３４の接触位置（各幼児ベルト３４の上端位置）がシートバック１２の上下方向（高さ方向）及び左右方向において変位される。
【００２８】
このため、各幼児ベルト３４上端のシートバック１２上下方向位置及び左右方向位置を調節できる。しかも、各傾斜面１６によって各幼児ベルト３４上端のシートバック１２上下方向位置及び左右方向位置を調節できるため、構成を簡単にすることができる。
【００２９】
さらに、ヘッドサポート２８の高さを変位するのみで、各幼児ベルト３４上端のシートバック１２上下方向位置及び左右方向位置を調節できる。このため、シートバック１２に幼児ベルト３４挿通用の挿通穴を上下に複数設けた場合の如く幼児ベルト３４を調節ベルトから一時的に取り外して幼児ベルト３４を挿通する挿通穴を変更する必要がなく、操作を簡単にする（ワンタッチで行う）ことができる。
【００３０】
また、上述の如く各傾斜面１６がシートバック１２上方へ向かうに従いシートバック１２左右方向外方へ向かう方向へ傾斜されている。このため、ヘッドサポート２８の上側への変位に伴い各幼児ベルト３４の上端位置がシートバック１２上側及び左右方向外側へ変位されると共に、ヘッドサポート２８の下側への変位に伴い各幼児ベルト３４の上端位置がシートバック１２下側及び左右方向内側へ変位される。これにより、幼児の体格が相違しても（例えば幼児の成長によって幼児の体格が変化しても）、幼児の首部の高さと太さ及び幼児の肩部の高さと肩幅の相違による幼児の首部及び肩部の上下方向位置及び左右方向位置の相違に対応することができ、各幼児ベルト３４を幼児の首部を避けた状態で幼児の各肩部に適切に装着することができる。
【００３１】
さらに、ヘッドサポート２８が幼児の頭部を支持する。このため、幼児の体格が相違しても、ヘッドサポート２８の高さの変位によって、幼児の頭部の上下方向位置の相違に対応することができ、ヘッドサポート２８が幼児の頭部を適切に支持することができる。
【００３２】
なお、本実施の形態では、調節用長穴１４を略長尺矩形状とした構成としたが、調節用長穴１４を他の形状（例えば図３に示す如く略台形状）にした構成としてもよい。この場合、調節用長穴１４のシートバック１２左右方向外側縁は上記実施の形態と同様の傾斜面１６とされる。
【図面の簡単な説明】
【００３３】
【図１】本発明の実施の形態に係るチャイルドシートの主要部を示す斜め右前方から見た分解斜視図である。
【図２】本発明の実施の形態に係るチャイルドシートにおける調節用長穴及びベルト穴等を示す前側から見た正面図である。
【図３】本発明の実施の形態に係るチャイルドシートの別例における調節用長穴及びベルト穴等を示す前側から見た正面図である。
【符号の説明】
【００３４】
１０    チャイルドシート
１６    傾斜面（傾斜部）
２８    ヘッドサポート（変位部材）
３４    幼児ベルト（ベルト）
【図１】
2007008426.tif 000003
【図２】
2007008426.tif 000004
【図３】
2007008426.tif 000005